(57)【要約】【課題】各子局設備で収集されるデータの同時性を確保可能なテレメータシステムを提供する。【解決手段】ＩＰ化受信テレメータシステム２０は、ｍ（ｍ：任意の自然数）個の観測局２１と、監視局２２とを具備し、各々の観測局２１と監視局２２とを通信ネットワーク２３を介して電気的に接続し、ＴＣＰ／ＩＰ方式のデータ通信を可能に構成される。そして、ＩＰ化受信テレメータシステム２０の各観測局２１に、例えば、雨量計２８等のデータ取得手段と、このデータ取得手段が取得したデータの収集を制御する制御手段３２および監視局２２が認識する基準時刻と同じ時刻を認識する第１の時刻認識手段３３を備えた観測装置２６とを備えさせて、各々の観測局２１が有する各データ取得手段（例えば、雨量計２８等）のデータ収集時間を制御手段３２が逆算処理行程し、第１の時刻認識手段３３で認識する基準時刻と要求されたデータ収集時刻とが一致した時刻に各観測局２１が観測データの収集を完了し得るようにＩＰ化受信テレメータシステム２０を構成した。【選択図】  図２
2004318421.tif 000002
【特許請求の範囲】
【請求項１】
データの収集を行う子局設備と、この子局設備が収集したデータを収集する親局設備とを具備し、通信ネットワークを介して電気的に接続し、前記親局設備からその都度データ収集要求をすること無く、前記子局設備が収集したデータを収集するテレメータシステムにおいて、
前記子局設備は、データを取得するデータ取得手段と、このデータ取得手段が取得したデータを収集するデータ収集手段とを備え、
このデータ収集手段は、前記親局設備と電気的に接続し、ＴＣＰ／ＩＰ方式により電子データの送受信を行う子局設備インターフェース手段と、
動作の基準となる基準時刻を認識する第１の時刻認識手段と、
データ収集を制御する制御手段と、
このデータ取得手段から取得したデータを収集し、電子データとして記録して格納する記録手段と、
入力操作を行う第１の入力手段と、
要求した情報を表示可能な第１の表示手段とを備え、
前記制御手段は、データ収集を制御する際に、前記第１の時刻認識手段から基準時刻を、データ収集時刻を記録し格納した収集時刻設定ファイルからデータ収集時刻を、前記データ取得手段がデータ収集に要するデータ収集所要時間を記録し格納した逆算時間設定ファイルから前記データ取得手段の各々についてデータ収集所要時間を取得して、データ取得開始時刻か否かを認識する収集時刻認識部と、
前記収集時刻認識部が、データ取得開始時刻であると認識すると、前記データ取得手段のデータ取得および取得したデータの収集について制御を開始するデータ収集制御部と、
前記収集時刻設定ファイルの作成および更新の一方を行うことでデータ収集時刻の設定を行う収集時刻設定制御部とを有することを特徴とするＩＰ化受信テレメータシステム。
【請求項２】
前記制御手段は、時刻補正要求を受信して、前記第１の時刻認識手段が認識する基準時刻の補正を行う時刻補正制御部を有することを特徴とする請求項１記載のＩＰ化受信テレメータシステム。
【請求項３】
前記制御手段は、データ収集を行う時間間隔の設定要求を受信すると、データ収集を行う時間間隔の設定を行い、
データ収集を行う時間間隔の切替要求を受信すると、切替要求のあった時間間隔にデータ収集を行う時間間隔を切り替える収集時間間隔切替制御部を有することを特徴とする請求項１記載のＩＰ化受信テレメータシステム。
【請求項４】
前記制御手段は、データ収集所要時間の設定要求があると、データ収集時にデータ収集所要時間を計測し、計測結果をデータ収集所要時間としてデータ収集所要時間の設定を行う逆算時間設定制御部を有することを特徴とする請求項１記載のＩＰ化受信テレメータシステム。
【請求項５】
前記親局設備は、前記データ収集手段と電気的に接続し、ＴＣＰ／ＩＰ方式により電子データの送受信を行う親局設備インターフェース手段と、
動作の基準となる基準時刻を認識する第２の時刻認識手段と、
前記子局設備が行うデータ収集の監視制御を行う監視制御手段と、
前記子局設備が収集したデータおよび前記収集時刻設定ファイル等の電子データを記録して格納するデータ記録手段と、
入力操作を行う第２の入力手段と、
要求した情報を表示可能な第２の表示手段とを備え、
前記監視制御手段は、前記第２の時刻認識手段から基準時刻を、前記収集時刻設定ファイルを読み出してデータ収集時刻を認識し、認識した基準時刻およびデータ収集時刻に応じて、データ受信の許可または拒否を切り替えを行うデータ受信制御部を有することを特徴とする請求項１記載のＩＰ化受信テレメータシステム。
【請求項６】
前記監視制御手段は、前記子局設備のうち選択した子局設備にデータ収集時刻の設定を一斉に要求するデータ収集時刻設定要求部を備えることを特徴とする請求項５記載のＩＰ化受信テレメータシステム。
【請求項７】
前記監視制御手段は、前記子局設備のうち選択した子局設備に、前記基準時刻の補正を一斉に要求する時刻補正要求部を備えることを特徴とする請求項５記載のＩＰ化受信テレメータシステム。
【請求項８】
前記監視制御手段は、前記子局設備のうち選択した子局設備に、データ収集を行う時間間隔の設定および切替のうち一方を一斉に要求する収集時間間隔設定・切替要求部を備えることを特徴とする請求項５記載のＩＰ化受信テレメータシステム。
【請求項９】
前記監視制御手段は、前記子局設備のうち選択した子局設備に、前記データ取得手段がデータ収集に要するデータ収集所要時間の設定を一斉に要求する逆算時間設定要求部を備えることを特徴とする請求項５記載のＩＰ化受信テレメータシステム。
【請求項１０】
子局設備において各データ取得手段が取得したデータを収集する子局データ収集処理操作は、
各子局設備における各データ取得手段が取得したデータを同時に収集するための逆算処理行程と、
各データ取得手段がデータの取得を開始するデータ取得開始時刻と基準時刻とが一致しているか否かを識別するデータ取得開始時刻識別行程と、
各データ取得手段にデータの取得開始を要求するデータ取得要求行程と、
各データ取得手段が取得したデータを収集する取得データ収集行程とを具備することを特徴とするデータ収集方法。
【請求項１１】
前記逆算処理行程は、収集時刻認識部が逆算時間設定ファイルを読み出し、各データ取得手段のデータ収集所要時間を認識するデータ収集所要時間認識ステップと、
収集時刻認識部が収集時刻設定ファイルを読み出し、データ収集時刻を認識するデータ収集時刻認識ステップと、
データ収集時刻およびデータ収集所要時間からデータ取得を開始するデータ取得開始時刻を認識するデータ取得開始時刻認識ステップとを備えることを特徴とする請求項１０記載のデータ収集方法。
【発明の詳細な説明】
【０００１】
【発明の属する技術分野】
本発明は、テレメータシステムに係り、特に、ＴＣＰ／ＩＰ方式によりデータの送受信を行うテレメータシステムにおいて、データ収集の同時性をより高めたテレメータシステムに関する。
【０００２】
【従来の技術】
図８は従来の遠方監視制御装置（テレメータ）の一実施例である遠方監視装置１の構成概略を表した構成概略図である。
【０００３】
図８に示される遠方監視装置１は、ｎ（任意の自然数）個の子局装置２と、各々の子局装置２と伝送路３を介して電気的に接続される親局装置４とを具備する。図８に示される遠方監視装置１において、子局装置２は、図外の監視対象からデータを受信し、受信したデータをあるタイミングで同時に親局装置４に送信する。親局装置４は、各々の子局装置２から送信されたデータを受信し、受信したデータを図外の外部装置へ出力する。
【０００４】
遠方監視装置１が具備する各々の子局装置２は、図外の監視対象からデータを受信する子局装置データ入力手段５と、受信したデータを親局装置４に出力する子局装置データ出力手段６と、データの出力時刻を設定する時刻設定手段７を備える。
【０００５】
子局装置２が備える時刻設定手段７は、子局装置２において外部から入力、もしくは、計測している絶対時刻を利用して予め定めた時刻になると子局装置データ出力手段６へ通知する。ここで、「絶対時刻」とは、ｘｘ時ｘｘ分ｘｘ秒を示す基準時刻であり、何らかの手段で、例えば、放送局の時報に合わせる手段を用い、各子局装置２が利用する時計は相互間で高精度に合わされたものである。
【０００６】
遠方監視装置１が具備する親局装置４は、各々の子局装置２からデータを受信する親局装置データ入力手段９と、受信したデータを図外の外部装置に出力する親局装置データ出力手段１０と、親局装置４がデータ入力を受け付ける時間を終了した際に、親局装置データ出力手段１０にデータを図外の外部装置へ出力する旨の信号（以下、データ出力要求信号とする）を出力するパーケージングタイマ１１と、親局装置４のデータ入力を受け付ける時間が終了した旨（以下、タイムアップとする）をパーケージングタイマ１１に通知するタイムアップ通知手段１２とを備える。
【０００７】
親局装置４が備える親局装置データ入力手段９は、データを子局装置２から受信すると、受信したことをタイムアップ通知手段１２に通知する。タイムアップ通知手段１２は、子局装置２からデータを受信した旨の通知を受信すると、受信した時からある一定時間、子局装置２から送信されるデータの受信を受け付ける。
【０００８】
子局装置２から送信されるデータの受信受け付けを開始し、ある一定の時間が経過すると、タイムアップ通知手段１２は、タイムアップをパーケージングタイマ１１に通知する。パーケージングタイマ１１は、タイムアップ通知手段１２からタイムアップの通知を受信して、親局装置データ出力手段１０にデータ出力要求信号を出力する。親局装置データ出力手段１０は、パーケージングタイマ１１からのデータ出力要求信号を受信すると、データを図外の外部装置へ出力する。
【０００９】
上述した遠方監視制御装置（テレメータ）の一例は、特開平９−１１５０８３号公報に掲載されている。（例えば、特許文献１参照）。
【００１０】
【特許文献１】
特開平９−１１５０８３号公報（明細書段落番号［００１７］〜［００２２］，図１）
【００１１】
【発明が解決しようとする課題】
図８に示されるような従来の遠方監視制御装置（テレメータ）１は、子局装置２からデータを親局装置４に送信するタイミングを一致（同期）させたものであり、データ収集のタイミングを一致（同期）させたものではない。このため、従来の遠方監視制御装置１では、各子局装置２で同じ絶対時刻迄にデータの収集が完了しているだけであり、必ずしも同じ絶対時刻にデータの収集が完了している訳ではない。
【００１２】
従って、各子局装置２において収集されるデータの同時性は必ずしも保証されない。データの種類によっては、データ収集の同時性が保証されないことによって、データの信頼性が確保され得ない場合も生じ得る。
【００１３】
本発明は、上述した課題を解決するためになされたものであり、各子局装置で収集されるデータについて、データ収集の同時性を確保可能なテレメータシステムを提供することを目的とする。
【００１４】
【課題を解決するための手段】
本発明に係るＩＰ化受信テレメータシステムは、上述した課題を解決するため、請求項１に記載したように、データの収集を行う子局設備と、この子局設備が収集したデータを収集する親局設備とを具備し、通信ネットワークを介して電気的に接続し、前記親局設備からその都度データ収集要求をすること無く、前記子局設備が収集したデータを収集するテレメータシステムにおいて、前記子局設備は、データを取得するデータ取得手段と、このデータ取得手段が取得したデータを収集するデータ収集手段とを備え、このデータ収集手段は、前記親局設備と電気的に接続し、ＴＣＰ／ＩＰ方式により電子データの送受信を行う子局設備インターフェース手段と、動作の基準となる基準時刻を認識する第１の時刻認識手段と、データ収集を制御する制御手段と、このデータ取得手段から取得したデータを収集し、電子データとして記録して格納する記録手段と、入力操作を行う第１の入力手段と、要求した情報を表示可能な第１の表示手段とを備え、前記制御手段は、データ収集を制御する際に、前記第１の時刻認識手段から基準時刻を、データ収集時刻を記録し格納した収集時刻設定ファイルからデータ収集時刻を、前記データ取得手段がデータ収集に要するデータ収集所要時間を記録し格納した逆算時間設定ファイルから前記データ取得手段の各々についてデータ収集所要時間を取得して、データ取得開始時刻か否かを認識する収集時刻認識部と、前記収集時刻認識部が、データ取得開始時刻であると認識すると、前記データ取得手段のデータ取得および取得したデータの収集について制御を開始するデータ収集制御部と、前記収集時刻設定ファイルの作成および更新の一方を行うことでデータ収集時刻の設定を行う収集時刻設定制御部とを有することを特徴とする。
【００１５】
請求項１に記載したデータ収集時刻の設定とは、初回の設定（初期設定）およびデータ収集時刻の変更等の初期設定後に行う設定の両者を含むものである。従って、収集時刻設定制御部は、収集時刻設定ファイルがない初期設定時には、前記収集時刻設定ファイルの作成を行い、初期設定後の設定時には、前記収集時刻設定ファイルを更新することになる。
【００１６】
上述した課題を解決するため、本発明に係るＩＰ化受信テレメータシステムは、請求項２に記載したように、前記制御手段が、時刻補正要求を受信して、前記第１の時刻認識手段が認識する基準時刻の補正を行う時刻補正制御部を有することを特徴とする。
【００１７】
また、上述した課題を解決するため、本発明に係るＩＰ化受信テレメータシステムは、請求項３に記載したように、前記制御手段は、データ収集を行う時間間隔の設定要求を受信すると、データ収集を行う時間間隔の設定を行い、データ収集を行う時間間隔の切替要求を受信すると、切替要求のあった時間間隔にデータ収集を行う時間間隔を切り替える収集時間間隔切替制御部を有することを特徴とする。
【００１８】
請求項３に記載したデータ収集時間間隔の設定とは、初回の設定（初期設定）およびデータ収集時刻の変更等の初期設定後に行う設定の両者を含むものである。
【００１９】
さらに、上述した課題を解決するため、本発明に係るＩＰ化受信テレメータシステムは、請求項４に記載したように、前記制御手段は、データ収集所要時間の設定要求があると、データ収集時にデータ収集所要時間を計測し、計測結果をデータ収集所要時間としてデータ収集所要時間の設定を行う逆算時間設定制御部を有することを特徴とする。
【００２０】
請求項４に記載したデータ収集所要時間の設定とは、初回の設定（初期設定）およびデータ収集時刻の変更等の初期設定後に行う設定の両者を含むものである。
【００２１】
一方、上述した課題を解決するため、本発明に係るＩＰ化受信テレメータシステムは、請求項５に記載したように、前記親局設備は、前記データ収集手段と電気的に接続し、ＴＣＰ／ＩＰ方式により電子データの送受信を行う親局設備インターフェース手段と、動作の基準となる基準時刻を認識する第２の時刻認識手段と、前記子局設備が行うデータ収集の監視制御を行う監視制御手段と、前記子局設備が収集したデータおよび前記収集時刻設定ファイル等の電子データを記録して格納するデータ記録手段と、入力操作を行う第２の入力手段と、要求した情報を表示可能な第２の表示手段とを備え、前記監視制御手段は、前記第２の時刻認識手段から基準時刻を、前記収集時刻設定ファイルを読み出してデータ収集時刻を認識し、認識した基準時刻およびデータ収集時刻に応じて、データ受信の許可または拒否を切り替えを行うデータ受信制御部を有することを特徴とする。
【００２２】
上述した課題を解決するため、本発明に係るＩＰ化受信テレメータシステムは、請求項６に記載したように、前記監視制御手段が、前記子局設備のうち選択した子局設備にデータ収集時刻の設定を一斉に要求するデータ収集時刻設定要求部を備えることを特徴とする。
【００２３】
請求項６に記載したデータ収集時刻の設定とは、請求項１に記載したデータ収集時刻の設定と同様に、初回の設定（初期設定）およびデータ収集時刻の変更等の初期設定後に行う設定の両者を含むものである。
【００２４】
また、上述した課題を解決するために、本発明に係るＩＰ化受信テレメータシステムは、請求項７に記載したように、前記監視制御手段が、前記子局設備のうち選択した子局設備に、前記基準時刻の補正を一斉に要求する時刻補正要求部を備えることを特徴とする。
【００２５】
さらに、上述した課題を解決するために、本発明に係るＩＰ化受信テレメータシステムは、請求項８に記載したように、前記監視制御手段が、前記子局設備のうち選択した子局設備に、データ収集を行う時間間隔の設定および切替のうち一方を一斉に要求する収集時間間隔設定・切替要求部を備えることを特徴とする。
【００２６】
さらにまた、上述した課題を解決するために、本発明に係るＩＰ化受信テレメータシステムは、請求項９に記載したように、前記監視制御手段が、前記子局設備のうち選択した子局設備に、前記データ取得手段がデータ収集に要するデータ収集所要時間の設定を一斉に要求する逆算時間設定要求部を備えることを特徴とする。
【００２７】
請求項９に記載したデータ収集所要時間の設定とは、請求項４に記載したデータ収集所要時間の設定と同意である。
【００２８】
本発明に係るＩＰ化受信テレメータシステムのデータ収集方法は、上述した課題を解決するため、請求項１０に記載したように、子局設備において各データ取得手段が取得したデータを収集する子局データ収集処理操作が、各子局設備における各データ取得手段が取得したデータを同時に収集するための逆算処理行程と、各データ取得手段がデータの取得を開始するデータ取得開始時刻と基準時刻とが一致しているか否かを識別するデータ取得開始時刻識別行程と、各データ取得手段にデータの取得開始を要求するデータ取得要求行程と、各データ取得手段が取得したデータを収集する取得データ収集行程とを具備することを特徴とする。
【００２９】
さらにまた、上述した課題を解決するため、本発明に係るＩＰ化受信テレメータシステムのデータ収集方法は、請求項１１に記載したように、前記逆算処理行程が、収集時刻認識部が逆算時間設定ファイルを読み出し、各データ取得手段のデータ収集所要時間を認識するデータ収集所要時間認識ステップと、収集時刻認識部が収集時刻設定ファイルを読み出し、データ収集時刻を認識するデータ収集時刻認識ステップと、データ収集時刻およびデータ収集所要時間からデータ取得を開始するデータ取得開始時刻を認識するデータ取得開始時刻認識ステップとを備えることを特徴とする。
【００３０】
【発明の実施の形態】
以下に、本発明に係るＩＰ（Ｉｎｔｅｒｎｅｔ  Ｐｒｏｔｏｃｏｌ：インターネットプロトコル）化受信テレメータシステムについて図面を参照して説明する。
【００３１】
［第１の実施形態］
図１に本発明に係るＩＰ化受信テレメータシステムの構成概略を表した構成概略図を示す。
【００３２】
図１に示されるＩＰ化受信テレメータシステムの構成概略は、本発明の第１の実施形態に係るＩＰ化受信テレメータシステムの一実施例であるＩＰ化受信テレメータシステム２０を例示したものである。
【００３３】
図１に示されるＩＰ化受信テレメータシステム２０は、ｍ（ｍ：任意の自然数）個の子局設備としての観測局２１と、親局設備としての監視局２２とを具備し、各々の観測局２１と親局設備としての監視局２２とは、例えば、ＬＡＮ（Ｌｏｃａｌ  Ａｒｅａ  Ｎｅｔｗｏｒｋ）等の通信ネットワーク２３を介して電気的に接続されている。ＩＰ化受信テレメータシステム２０が具備する観測局２１および監視局２２は、ＴＣＰ／ＩＰ（Ｔｒａｎｓｍｉｓｓｉｏｎ  Ｃｏｎｔｒｏｌ  Ｐｒｏｔｏｃｏｌ  ／  Ｉｎｔｅｒｎｅｔ  Ｐｒｏｔｏｃｏｌ）方式によってデータの送受信を行う。
【００３４】
図２および図３にＩＰ化受信テレメータシステム２０が具備する観測局２１および監視局２２の構成概略を表した構成概略図を示す。
【００３５】
図２は、観測局２１の構成概略図である。図２に示される観測局２１は、例えば、雨量、水位、温度、湿度、気圧、水質等の観測を行い、観測データ等のデータを取得するデータ取得手段と、データ取得手段が取得したデータを収集するデータ収集手段としての観測装置２６とを備える。尚、図２に示されるデータ取得手段は、一例として、雨量計２８および水位計２９を備えている。
【００３６】
図２に示される観測局２１が備える観測装置２６は、外部機器とのインターフェース（以下、Ｉ／Ｆとする）であり、子局設備Ｉ／Ｆとしての観測局Ｉ／Ｆ手段３１と、観測装置２６の制御を行う制御手段３２と、例えば、現在時刻等の動作の基準となる時刻（以下、基準時刻とする）を認識する第１の時刻認識手段３３と、電子情報を記録し格納する記録手段３４と、実行したい処理操作を入力する第１の入力手段３５と、要求した情報を表示可能な第１の表示手段３６とを備える。
【００３７】
図２に示される観測装置２６が備える観測局Ｉ／Ｆ手段３１は、図１に示される通信ネットワーク２３との接続を行い監視局２２との通信を行う通信Ｉ／Ｆ３９と、図２に示されるデータ取得手段としての雨量計２８との接続を行う雨量計Ｉ／Ｆ４０と、データ取得手段としての水位計２９との接続を行う水位計Ｉ／Ｆ４１とを有する。
【００３８】
観測装置２６が備える制御手段３２は、第１の時刻認識手段３３から基準時刻を取得して、データ収集時刻か否かを認識する収集時刻認識部４３と、データ取得手段のデータ取得および取得したデータの収集を制御するデータ収集制御部４５と、時刻補正要求を受信して時刻補正を実行する時刻補正制御部４６と、データ収集時刻設定要求を受信してデータ収集時刻の設定を行う収集時刻設定制御部４７とを有する。
【００３９】
記録手段３４には、雨量計２８および水位計２９から取得した観測データを記録し格納する観測データファイルとしての雨量計データファイル４８および水位計データファイル４９と、データ収集時刻を記録した収集時刻設定ファイル５０と、各データ取得手段が取得したデータをデータ収集するデータ収集時刻の同時性を確保するために行う逆算処理行程の逆算時間を設定した逆算時間設定ファイル５１が格納される。
【００４０】
一方、図３は、監視局２２の構成概略を表した構成概略図である。図３に示される監視局２２は、外部機器（図外）とのＩ／Ｆであり、親局設備Ｉ／Ｆ手段としての監視局Ｉ／Ｆ手段５３と、監視局２２の監視制御処理操作を行う監視制御手段５４と、基準時刻を認識する第２の時刻認識手段５５と、データを記録し格納するデータ記録手段５６と、実行したい処理操作を入力する第２の入力手段５７と、要求した情報を表示可能な第２の表示手段５８とを備える。
【００４１】
監視局Ｉ／Ｆ手段５３は、図１に示される通信ネットワーク２３との接続を行う通信Ｉ／Ｆ３９を備え、観測局２１との通信を相互に可能としている。
【００４２】
監視制御手段５４は、データ収集時刻を認識し、データ受信の許可または拒否を切り替えを行うデータ受信制御部６０と、図２に示される各観測局２１に基準時刻の補正要求を出力する時刻補正要求部６１と、データ収集時刻の設定要求を出力する収集時刻設定要求部６２とを有する。
【００４３】
データ記録手段５６は、各観測局２１で収集した観測データを受信して、記録し格納する。
【００４４】
図１、図２および図３に示されるように構成されるＩＰ化受信テレメータシステム２０は、各観測局２１が監視局２２と同じ基準時刻を認識するとともに、各観測局２１の制御手段３２が逆算処理行程を行い、各データ取得手段毎のデータ収集所要時間を加味してデータを収集するので、各観測局２１において各データ取得手段が取得したデータを収集する時刻の同時性を高めることが可能となる。
【００４５】
ここで、ＩＰ化受信テレメータシステム２０が行うデータの収集方法について順を追って説明する。
【００４６】
ＩＰ化受信テレメータシステム２０は、データ収集のより高い同時性を実現するために、まず、準備作業として、監視局２２が備える第２の時刻認識手段５５および各観測局２１が備える第１の時刻認識手段３３が認識する基準時刻を一致（同期）させる基準時刻同期設定処理行程と、設定ファイル作成行程とを実行する必要がある。
【００４７】
準備作業として行う基準時刻同期設定処理行程および設定ファイル作成行程は、例えば、システム導入時における初期設定時等のデータ収集を定常的に開始する以前、すなわち、システム運用開始以前に行う。
【００４８】
基準時刻同期設定処理行程において、監視局２２（第２の時刻認識手段５５）および各観測局２１（第１の時刻認識手段３３）が認識する基準時刻を一致させる方法については、放送局で放送される時報を用いた調整、電波時計による時刻認識、タイムサーバと同期をとる等の種々のとり得る方法のいずれかで良く、その方法を問わない。
【００４９】
一方、設定ファイル作成行程は、データ収集時刻設定ファイル作成ステップと、逆算時間設定ファイル作成ステップとを備え、各観測局２１において、設定ファイル作成を行う者（以下、設定者とする）が、第１の入力手段３５から入力操作して行う。
【００５０】
設定ファイル作成行程が備えるデータ収集時刻設定ファイル作成ステップは、設定者が第１の入力手段３５から入力操作して、データ収集時刻設定要求としてのデータ収集時刻設定要求信号を収集時刻設定制御部４７に入力することで行う。データ収集時刻設定要求信号が収集時刻設定制御部４７に入力されると、収集時刻設定制御部４７は、収集時刻設定ファイル５０の有無を確認する。
【００５１】
設定ファイル作成工程においては、収集時刻設定制御部４７が読み出す収集時刻設定ファイル５０は存在しないので、データ収集時刻設定要求信号に基づくデータ収集時刻を記録し格納した収集時刻設定ファイル５０を新規に作成する。尚、一旦、収集時刻設定ファイル５０を作成し収集時刻設定ファイル５０が存在する場合、収集時刻設定制御部４７はデータ収集時刻設定要求信号に基づくデータ収集時刻に収集時刻設定ファイル５０を更新する。
【００５２】
また、逆算時間設定ファイル作成ステップは、例えば、システム導入時における初期設定時等のシステム運用開始以前に、データ収集テストを行い、観測局２１が備える全てのデータ取得手段において、観測開始時刻からデータ収集に要する時間（以下、データ収集所要時間とする）の測定して、各観測局２１の記録手段３４に測定した各データ取得手段のデータ収集所要時間を記録した逆算時間設定ファイル５１を作成することでなされる。
【００５３】
システム運用開始以前に行うデータ収集テストは、各観測局２１において、設定者が、第１の入力手段３５から入力操作を行うことにより、トリガをデータ収集制御部４５へ出力することで、データ収集制御部４５にデータ収集開始要求信号を出力させる。そして、各観測局２１が備える全てのデータ取得手段に対してデータ収集を実施し、データ収集所要時間を測定する。
【００５４】
データ収集所要時間は、記録手段３４に格納されるデータファイル（例えば、図２に示される雨量計データファイル４８等）を参照することで確認することができる。そして、設定者が、確認したデータ収集所要時間に基づき、各観測局２１において逆算時間設定ファイル５１を作成する。
【００５５】
基準時刻同期設定処理行程および設定ファイル作成行程を完了すると、ＩＰ化受信テレメータシステム２０は、各観測局２１において各データ取得手段が取得したデータを収集する時刻の同時性を高めたデータ収集が可能となる。
【００５６】
ＩＰ化受信テレメータシステム２０は、親局設備としての監視局２２が、子局設備としての観測局２１単位で収集されたデータをさらに収集する親局データ収集処理操作を実行することで、各観測局２１の各データ取得手段が取得したデータの収集を行う。
【００５７】
ここで、観測局２１単位のデータ収集（以下、子局データ収集処理操作とする）、および親局データ収集処理操作について手順を追って説明する。
【００５８】
観測局２１単位でなされる子局データ収集処理操作は、各観測局２１において、各データ取得手段が取得したデータを同時に収集するための逆算処理行程と、各データ取得手段がデータの取得を開始するデータ取得開始時刻と基準時刻とが一致しているか否かを識別するデータ取得開始時刻識別行程と、各データ取得手段にデータの取得開始を要求するデータ取得要求行程と、各データ取得手段が取得したデータを収集する取得データ収集行程とを具備する。
【００５９】
子局データ収集処理操作が具備する逆算処理行程は、収集時刻認識部４３が逆算時間設定ファイル５１を読み出し、雨量計２８等の各データ取得手段のデータ収集所要時間を認識するデータ収集所要時間認識ステップと、収集時刻認識部４３が収集時刻設定ファイル５０を読み出し、データ収集時刻を認識するデータ収集時刻認識ステップと、データ収集時刻およびデータ収集所要時間からデータ取得を開始するデータ取得開始時刻を認識するデータ取得開始時刻認識ステップとを備える。
【００６０】
逆算処理行程が備えるデータ収集所要時間認識ステップは、収集時刻認識部４３が記録手段３４に格納される逆算時間設定ファイル５１を読み出し、観測局２１内の各データ取得手段のデータ収集所要時間を認識することでなされる。収集時刻認識部４３がデータ収集所要時間を認識すると、データ収集所要時間認識ステップは完了し、次に、データ収集時刻認識ステップを行う。
【００６１】
データ収集時刻認識ステップは、収集時刻認識部４３が収集時刻設定ファイル５０を読み出し、データ収集時刻を認識する。収集時刻認識部４３が、データ収集時刻を認識すると、データ収集時刻認識ステップは完了し、次に、データ取得開始時刻認識ステップを行う。
【００６２】
データ取得開始時刻認識ステップは、データ収集所要時間認識ステップおよびデータ収集時刻認識ステップで収集時刻認識部４３が認識した観測局２１内の各データ取得手段のデータ収集所要時間、データ収集時刻および基準時刻に基づいて、設定されたデータ収集時刻にデータ収集が完了するように、データ収集所要時間だけ早い時刻、すなわち、データ取得開始時刻を算出する。
【００６３】
データ取得開始時刻の算出は、収集時刻認識部４３が各データ取得手段毎にデータ収集時刻からデータ収集所要時間を逆算することでなされる。そして、データ収集時刻からデータ収集所要時間を逆算して得られた時刻をデータ取得開始時刻を認識する。
【００６４】
例えば、図２に示される観測装置２６において、設定されたデータ収集時刻が１０：００、雨量計２８のデータ収集所要時間が３分、水位計２９のデータ収集所要時間が２分とした場合、雨量計２８のデータ取得開始時刻は、１０：００の３分前の９：５７となり、水位計２９のデータ取得開始時刻は、１０：００の２分前の基準時刻９：５８となる。そして、収集時刻認識部４３は、雨量計２８のデータ取得開始時刻が基準時刻９：５７、水位計２９のデータ取得開始時刻が基準時刻９：５８として認識する。
【００６５】
収集時刻認識部４３が各データ取得手段毎のデータ取得開始時刻を認識すると、データ取得開始時刻認識ステップは完了し、このデータ取得開始時刻認識ステップの完了をもって、逆算処理行程は完了する。逆算処理行程が完了すると、次に、収集時刻認識部４３はデータ取得開始時刻識別行程を行う。
【００６６】
子局データ収集処理操作が具備するデータ取得開始時刻識別行程では、各データ取得手段がデータの取得を開始するデータ取得開始時刻と第１の時刻認識手段３３が認識する基準時刻とが一致しているか否かを識別する。データ取得開始時刻と第１の時刻認識手段３３が認識する基準時刻とが一致しているか否かは、収集時刻認識部４３が、データ取得開始時刻と第１の時刻認識手段３３が認識する基準時刻とを比較することで行う。データ取得開始時刻と第１の時刻認識手段３３が認識する基準時刻とが一致した場合、収集時刻認識部４３は、データ取得要求行程を行う。
【００６７】
データ取得要求行程は、収集時刻認識部４３が各データ取得手段にデータの取得開始を要求することでなされる。データ取得要求行程では、基準時刻とデータ取得開始時刻とが一致すると、収集時刻認識部４３がデータ収集制御部４５へトリガを出力し、データ収集制御部４５にトリガが入力されると、データ収集制御部４５は、データ収集要求信号を出力する。データ収集制御部４５が全てのデータ取得手段にデータ収集要求信号を出力すると、データ取得要求行程は完了する。
【００６８】
データ取得要求行程が完了し、データ収集要求信号がデータ収集制御部４５から出力されると、データ収集制御部４５から出力されたデータ収集要求信号は、Ｉ／Ｆ手段３１を介して雨量計２８等のデータ取得手段に送信される。雨量計２８等のデータ取得手段が、データ収集要求信号を受信すると、雨量計２８等のデータ取得手段は、観測を開始してデータ取得を開始する。
【００６９】
また、データ取得要求行程が完了すると、データ取得手段は、観測を開始してデータ取得を開始するとともに、データ収集制御部４５が取得したデータを収集する取得データ収集行程を行う。取得データ収集行程は、各データ取得手段で取得された観測データをデータ収集を行ったデータ収集時刻情報と共に観測データファイルとして記録手段３４に記録、格納することでなされる。
【００７０】
図２に示される観測装置２６の場合、データ収集制御部４５は、雨量計２８および水位計２９が取得した観測データとデータ収集を行ったデータ収集時刻情報とを雨量計データファイル４８および水位計データファイル４９として記録手段３４に記録し格納する。全てのデータ取得手段においてデータ収集が完了すると、取得データ収集行程は完了する。取得データ収集行程が完了すると、取得データ収集行程の完了をもって、子局データ収集処理操作は完了する。
【００７１】
一方、親局データ収集処理操作は、データを受信可能な状態に切り替えてデータ受信を許可するデータ受信許可行程と、データを受信不可能な状態に切り替えてデータ受信を拒否するデータ受信拒否行程とを具備する。そして、親局設備としての監視局２２は、データ受信を許可する時間帯において子局設備としての観測局２１から送信されるデータを受信するのみである。
【００７２】
つまり、監視局２２は、観測局２１が子局データ収集処理操作を行っている間は何も行わず、データ取得開始時刻が到来しても、各観測局２１に観測データの配信要求を行わない。そして、データ収集時刻が到来すると、単に、データを受信可能な状態に切り替えて受信待機状態となる。
【００７３】
親局データ収集処理操作が具備するデータ受信許可行程は、データ収集時刻が到来すると、監視制御手段５４のデータ受信制御部６０が、データ受信を許可し、データの受信が可能な状態に切り替える行程である。データ受信制御部６０がデータ受信許可行程を完了すると、親局設備としての監視局２２は、受信待機状態となる。
【００７４】
監視局２２が受信待機状態にある時に、各観測局２１において収集されたデータは、各観測局２１から監視局２２へ送信される。監視局２２へのデータ送信は、各観測局２１において、制御手段３２が有するデータ収集制御部４５が行う。図２に示される場合において、データ収集制御部４５は、記録手段３４に格納される雨量計データファイル４８および水位計データファイル４９を監視局２２へ送信する。
【００７５】
監視局２２が受信待機状態にある時に、観測局２１から送信された観測データ等のデータを受信すると、受信したデータは、データ記録手段５６に記録されて格納される。図２に示される場合においては、雨量計データファイル４８および水位計データファイル４９がデータ記録手段５６に記録されて格納される。
【００７６】
データ受信制御部６０が、データ受信を許可し、監視局２２が受信待機状態となってある一定時間が経過すると、データ受信制御部６０は、観測局２１から送信されるデータの受信を受け付けない状態、すなわち、受信拒否状態に切り替えるデータ受信拒否行程を行う。データ受信制御部６０がデータ受信拒否行程を完了すると、監視局２２は、観測局２１から送信されるデータの受信を受け付けない状態、すなわち、タイムアウトとなる。
【００７７】
データ収集開始時刻からタイムアウトになるまでの間に監視局２２が受信した観測データは、正規のデータ（定刻に収集された観測データ）として取り扱われる。また、何らかの事情によりタイムアウト迄に収集できなかった観測局２１の観測データは、そのデータ収集開始時刻においては、データ欠落として取り扱う。データ受信許可行程およびデータ受信拒否行程が完了すると、そのデータ収集時刻に対する親局データ収集処理操作は完了する。
【００７８】
このように、各子局設備、すなわち、各観測局２１に基準時刻を認識させて、監視局２２が備える第２の時刻認識手段５５および各観測局２１が備える第１の時刻認識手段３３が認識する基準時刻を一致（同期）させるよう構成したＩＰ化受信テレメータシステム２０は、各観測局２１で取得される観測データの同時性を確保することが可能となる。従って、各子局設備で収集されるデータの同時性を確保可能なテレメータシステムを提供することができる。
【００７９】
また、各観測局２１が基準時刻を認識するので、監視局２２から観測局２１を個々に呼び出すポーリング方式、または、予め設定したイベント（例えば、水位計が１．５ｍになったら等）の発生により起動するイベント起動方式による観測に比べてより各観測局２１が観測データを取得する時刻の同時性を高めることが可能となる。
【００８０】
さらに、ＩＰ化受信テレメータシステム２０の運用開始以前の初期設定の段階で、逆算時間設定ファイル５１を作成し、制御手段３２が、逆算処理行程を行うことによって、逆算処理行程を実施しない場合に比べて、より高いデータ収集時刻の同時性が実現される。
【００８１】
次に、ＩＰ化受信テレメータシステム２０が具備する監視局２２の監視制御手段５４において実行される監視制御処理操作について説明する。
【００８２】
図３に示される監視局２２が備える監視制御手段５４で実行される監視制御処理操作は、監視制御手段５４の時刻補正要求部６１が、監視局２２で選択した観測局２１に対して、時刻補正の要求を一斉に行う時刻補正要求処理行程と、収集時刻設定要求部６２が、監視局２２で選択した観測局２１に対してデータ収集時刻を設定するデータ収集時刻設定要求（データ収集時刻を変更設定する旨の要求）を一斉に行う収集時刻設定要求処理行程とを具備する。
【００８３】
監視制御処理操作が具備する時刻補正要求処理行程は、監視局２２の時刻補正要求部６１が選択した観測局２１に時刻補正要求を一斉に行うことでなされる。時刻補正要求部６１から監視局２２で選択した観測局２１に時刻補正要求を行うと、監視局２２で選択した観測局２１が時刻補正要求信号を受信する。
【００８４】
観測局２１が時刻補正要求信号を受信すると、制御手段３２の時刻補正制御部４６は、第１の時刻認識手段３３が現在認識している基準時刻を、例えば、監視局２２の第２の時刻認識手段５５が認識する基準時刻等の補正要求された時刻に補正する。
【００８５】
また、収集時刻設定要求処理行程は、監視局２２の収集時刻設定要求部６２が選択した観測局２１にデータ収集時刻設定要求を一斉に行うことでなされる。収集時刻設定要求部６２から監視局２２で選択した観測局２１にデータ収集時刻を変更するデータ収集時刻設定要求を行うと、収集時刻設定要求部６２から監視局２２で選択した観測局２１にデータ収集時刻設定要求信号が出力され、選択された観測局２１は、データ収集時刻設定要求信号を受信する。
【００８６】
データ収集時刻設定要求信号を受信した観測局２１の収集時刻設定制御部４７は、収集時刻設定ファイル５０の有無を確認する。そして、収集時刻設定制御部４７が収集時刻設定ファイル５０を読み出し、収集時刻設定ファイル５０に記録されたデータ収集時刻を要求のあったデータ収集時刻に変更する。そして、収集時刻設定ファイル５０を変更した状態で保存し、収集時刻設定ファイル５０を更新する。
【００８７】
このように、図３に示される監視局２２の監視制御手段５４が実行する監視制御処理操作を可能に構成したＩＰ化受信テレメータシステム２０は、監視局２２から選択した観測局２１に対して時刻補正要求処理行程を行い、一斉に時刻の補正要求をすることができる。従って、監視局２２から任意の観測局２１を選択し、選択した観測局２１が第１の時刻認識手段３３で認識している基準時刻を一斉に時刻補正することが可能となる。
【００８８】
また、監視局２２から選択した観測局２１に対して収集時刻設定要求処理行程を行い、一斉にデータ収集時刻の変更要求することができる。従って、監視局２２から任意の観測局２１を選択し、選択した観測局２１では、収集時刻設定ファイル５０が更新され、更新後のデータ収集時刻にデータ収集時刻を変更することが可能となる。
【００８９】
本実施形態に係るＩＰ化受信テレメータシステム２０によれば、各子局設備、すなわち、各観測局２１が共通の基準時刻を認識し、認識している基準時刻に基づいてデータ収集を行うので、各観測局２１で収集される観測データの同時性を確保することが可能となり、各観測局２１で収集されるデータの同時性を確保可能なテレメータシステムを提供することができる。
【００９０】
また、各観測局２１が共通の基準時刻を認識するので、監視局２２から観測局２１を個々に呼び出すポーリング方式、または、予め設定したイベント（例えば、水位計が１．５ｍになったら等）の発生により起動するイベント起動方式による観測に比べてデータを収集する時刻の同時性を高めることが可能となる。
【００９１】
さらに、ＩＰ化受信テレメータシステム２０の運用開始以前の初期設定の段階で、逆算時間設定ファイル５１を作成し、制御手段３２が、逆算処理行程を行うことによって、逆算処理行程を実施しない場合に比べて、より高いデータ収集時刻の同時性が実現される。
【００９２】
さらにまた、監視局２２から選択した観測局２１に対して、時刻補正要求処理行程または収集時刻設定要求処理行程を行い、一斉に基準時刻の補正要求またはデータ収集時刻の変更要求をすることができる。
【００９３】
尚、ＩＰ化受信テレメータシステム２０では、収集時刻設定ファイル作成ステップにおいて、収集時刻設定ファイル５０を作成する際に、設定者が各観測局２１の第１の入力手段３５から入力操作してデータ収集時刻設定要求信号を収集時刻設定制御部４７に入力することで行っているが、監視局２２からの要求により行っても良い。すなわち、収集時刻設定要求処理行程を初期設定段階で実行し、収集時刻設定ファイル作成ステップにおける収集時刻設定ファイル５０の作成を収集時刻設定要求部６２がデータ収集時刻設定要求信号を出力して、収集時刻設定制御部４７に入力することで行っても良い。
【００９４】
また、逆算時間設定ファイル作成ステップにおいて、データ収集所要時間の測定に雨量計データファイル４８等のデータファイルに記録、格納されるデータ収集時刻を参照しているが、その他の方法により測定しても良い。例えば、第１の表示手段３６に各データ取得手段のデータ収集時刻を表示させて、表示される時刻から算出する方法でも良いし、ストップウォッチ等の時間計測手段を利用して測定しても良い。
【００９５】
さらに、図１に示されるＩＰ化受信テレメータシステム２０は、図２に示される観測局２１の制御手段３２が時刻補正制御部４６を、図３に示される監視局２２の監視制御手段５４が時刻補正要求部６１を有しているが、制御手段３２は時刻補正制御部４６を、監視制御手段５４は時刻補正要求部６１を有していなくても良い。
【００９６】
制御手段３２は時刻補正制御部４６を、監視制御手段５４は時刻補正要求部６１を有さない場合、時刻補正要求処理行程を実施できなくなるが、例えば、タイムサーバが認識する時刻を観測局２１の第１の時刻認識手段３３および監視局２２の第２の時刻認識手段５５が認識するようにすれば、各観測局２１および監視局２２は、共通の基準時刻を認識するので、データ収集時刻の同時性を保った状態でのデータ収集は可能である。
【００９７】
さらにまた、監視局２２は、データ収集時刻が到来すると、観測データの受信待機状態となるとしたが、監視局２２が観測データの受信待機状態となるタイミングは、少なくとも、データ収集時刻よりも早ければ良い。つまり、監視局２２は、データ収集時刻が到来と同時に観測データの受信待機状態となることを必ずしも要しない。
【００９８】
［第２の実施形態］
以下に、本発明の第２の実施形態に係るＩＰ化受信テレメータシステムについて説明する。
【００９９】
本発明の第２の実施形態に係るＩＰ化受信テレメータシステムの構成は、図１に示されるＩＰ化受信テレメータシステム２０において、観測局２１および監視局２２の代わりに観測局２１Ａおよび監視局２２Ａを具備する点で異なるが、その他の点は、本質的に異ならない。
【０１００】
すなわち、本発明の第２の実施形態に係るＩＰ化受信テレメータシステムの一実施例であるＩＰ化受信テレメータシステム２０Ａの構成概略は、図１において、ＩＰ化受信テレメータシステム２０をＩＰ化受信テレメータシステム２０Ａに、観測局２１を観測局２１Ａに、監視局２２を監視局２２Ａに置換した構成である。従って、本実施形態に係るＩＰ化受信テレメータシステム２０Ａの説明においては、第１の実施形態に係るＩＰ化受信テレメータシステム２０と異なる観測局２１Ａおよび監視局２２Ａを中心にして説明する。
【０１０１】
図４に本発明の第２の実施形態に係るＩＰ化受信テレメータシステムの一実施例であるＩＰ化受信テレメータシステム２０Ａが具備する観測局２１Ａの構成概略を表した構成概略図を示す。
【０１０２】
図４に示される観測局２１Ａは、観測データ等のデータを取得するデータ取得手段と、データ収集手段としての観測装置２６Ａとを備える。観測局２１Ａが備える観測装置２６Ａは、図２に示される観測装置２６に対して、制御手段３２に代わり、制御手段３２Ａを備える点で異なるが、その他の点は本質的に異ならない。
【０１０３】
すなわち、観測装置２６Ａは、観測局Ｉ／Ｆ手段３１と、観測装置２６Ａの制御を行う制御手段３２Ａと、第１の時刻認識手段３３と、記録手段３４と、第１の入力手段３５と、第１の表示手段３６とを備える。
【０１０４】
観測装置２６Ａが備える制御手段３２Ａは、制御手段３２が有する収集時刻認識部４３、データ収集制御部４５および時刻補正制御部４６に加えて、データ収集を行う時間間隔（以下、データ収集時間間隔とする）の設定要求（以下、データ収集時間間隔設定要求とする）または切替要求（以下、データ収集時間間隔切替要求とする）を受信してデータ収集時間間隔の設定または切り替えを行う収集時間間隔切替制御部６４をさらに有する。
【０１０５】
また、記録手段３４は、観測データファイルとしての雨量計データファイル４８および水位計データファイル４９と、収集時刻設定ファイル５０と、逆算時間設定ファイル５１とに加えて、少なくとも１つ以上のデータ収集時間間隔を記録した収集時間間隔設定ファイル６５をさらに備える。
【０１０６】
図５に本発明の第２の実施形態に係るＩＰ化受信テレメータシステムの一実施例であるＩＰ化受信テレメータシステム２０Ａが具備する監視局２２Ａの構成概略を表した構成概略図を示す。
【０１０７】
図５に示される監視局２２Ａは、親局設備Ｉ／Ｆ手段としての監視局Ｉ／Ｆ手段５３と、監視局２２Ａの監視制御処理操作を行う監視制御手段５４Ａと、第２の時刻認識手段５５と、データ記録手段５６と、第２の入力手段５７と、第２の表示手段５８とを備える。
【０１０８】
監視制御手段５４Ａは、時刻補正要求部６１および収集時刻設定要求部６２に加えて、データ収集時間間隔設定要求または切替要求を選択した観測局２１Ａに対して行う収集時間間隔設定・切替要求部６６をさらに備える。
【０１０９】
図４に示される観測局２１Ａと、図５に示される監視局２２Ａとを具備するＩＰ化受信テレメータシステム２０Ａは、ＩＰ化受信テレメータシステム２０に収集時間間隔切替制御部６４、収集時間間隔設定ファイル６５および収集時間間隔設定・切替要求部６６を付加した形態なため、当然、ＩＰ化受信テレメータシステム２０と同様の効果が得られる。
【０１１０】
また、ＩＰ化受信テレメータシステム２０Ａは、観測局２１Ａの制御手段３２Ａが収集時間間隔切替制御部６４を有すること、記録手段３４が収集時間間隔設定ファイル６５を備えることおよび監視局２２Ａの監視制御手段５４Ａが収集時間間隔設定・切替要求部６６を備えることで、ＩＰ化受信テレメータシステム２０と同様の効果に加え、監視局２２Ａからデータ収集時間間隔の切替要求に応じて、データ収集時間間隔設定・切替制御部６４がデータ収集時間間隔設定処理操作またはデータ収集時間間隔切替処理操作（以下、データ収集時間間隔設定・切替処理操作とする）を実行し、データ収集時間間隔を設定または切り替えることが可能となる。
【０１１１】
ここで、ＩＰ化受信テレメータシステム２０Ａにおいて、データ収集時間間隔設定・切替制御部６４が実行するデータ収集時間間隔設定・切替処理操作について、データ収集時間間隔設定処理操作とデータ収集時間間隔切替処理操作とに分けて説明する。
【０１１２】
データ収集時間間隔設定処理操作は、監視局２２Ａの収集時間間隔設定・切替要求部６６が、選択した観測局２１Ａに対してデータ収集時間間隔設定要求を一斉に行うことでなされる。
【０１１３】
データ収集時間間隔設定処理操作は、監視局２２Ａからデータ収集時間間隔設定要求が観測局２１に送信されると、まず、データ収集時間設定要求を受信し、データ収集時間間隔設定要求を受信した観測局２１Ａのデータ収集時間間隔設定・切替制御部６４が記録手段３４に収集時間間隔設定ファイル６５の有無を確認する。
【０１１４】
記録手段３４に収集時間間隔設定ファイル６５が無い場合、データ収集時間間隔設定・切替制御部６４は、収集時間間隔設定ファイル６５を作成し、監視局２２Ａが要求するデータ収集時間間隔を記録し格納する。また、収集時間間隔設定ファイル６５が有る場合は、収集時間間隔設定ファイル６５を更新し、監視局２２が要求するデータ収集時間間隔を記録し格納する。
【０１１５】
収集時間間隔設定ファイル６５の作成または更新が完了すると、データ収集時間間隔設定・切替制御部６４は、収集時間間隔設定ファイル６５を読み出し、収集時間間隔設定ファイル６５に記録されるデータ収集時間間隔でデータ収集を実行する。
【０１１６】
一方、データ収集時間間隔切替処理操作は、収集時間間隔設定・切替要求部６６が、選択した観測局２１Ａに対してデータ収集時間間隔設定要求を一斉に行うことでなされる。
【０１１７】
データ収集時間間隔切替処理操作は、監視局２２Ａからデータ収集時間間隔切替要求としてのデータ収集時間間隔切替要求信号が観測局２１Ａに送信されると、まず、データ収集時間間隔切替要求信号を受信し、データ収集時間間隔切替要求信号を受信した観測局２１Ａのデータ収集時間間隔設定・切替制御部６４が時間間隔をプリセットした少なくとも１以上のチャンネルのうちから、切り替えたいデータ収集時間間隔を設定したチャンネルに切り替える。
【０１１８】
時間間隔のプリセットとは、例えば、データ収集時間間隔を４時間、２時間、１時間、３０分と設定する場合に、これらのデータ収集時間間隔を１チャンネル〜５チャンネルにチャンネルと関連付けて予め記憶させておくことをいう。すなわち、１チャンネルはデータ収集時間間隔が４時間、２チャンネルはデータ収集時間間隔が２時間という具合に関連付けて記憶させる。また、収集時間間隔設定ファイル６５は、現在選択されているチャンネルおよびチャンネルとデータ収集時間間隔との関係が記録される。
【０１１９】
チャンネルの切り替えは、データ収集時間間隔設定・切替制御部６４が、収集時間間隔設定ファイル６５を読み出し、入力されたデータ収集時間間隔切替信号に基づき、選択されたチャンネルからデータ収集時間間隔を認識し、収集時間間隔設定ファイル６５の現在選択されているチャンネルを更新することでなされる。そして、データ収集時間間隔を選択されたチャンネルに記憶されるデータ収集時間間隔に切り替える。
【０１２０】
このように構成されるＩＰ化受信テレメータシステム２０Ａによれば、子局設備としての観測局２１Ａが、親局設備としての監視局２２Ａの収集時間間隔設定・切替要求部６６からデータ収集時間間隔設定要求としてのデータ収集時間間隔設定要求信号を受信すると、制御手段３２Ａのデータ収集時間間隔設定・切替制御部６４は、収集時間間隔設定ファイル６５を作成または更新し、作成または更新した収集時間間隔設定ファイル６５を読み出すので、設定したデータ収集時間間隔でデータ収集を実施することが可能となる。
【０１２１】
また、観測局２１Ａが、監視局２２Ａの収集時間間隔設定・切替要求部６６からデータ収集時間間隔切替要求としてのデータ収集時間間隔切替信号を受信すると、制御手段３２Ａのデータ収集時間間隔設定・切替制御部６４は、収集時間間隔設定ファイル６５を読み出し、選択されているチャンネル、すなわち、データ収集時間間隔を更新するので、設定したデータ収集時間間隔を切り替えてデータ収集を実施することが可能となる。
【０１２２】
尚、データ収集時間間隔設定処理操作は、監視局２２Ａを監視する監視員等が第２の入力手段５７から入力操作することによって収集時間間隔設定・切替要求部６６が行うようにしても良いし、コンピュータがプログラムを実行することにより監視制御手段５４Ａの収集時間間隔設定・切替要求部６６が自動的に行い得るようにしても良い。
【０１２３】
また、データ収集時間間隔設定処理操作は、監視局２２Ａの収集時間間隔設定・切替要求部６６が行うとしたが、各観測局２１Ａにおいて設定者が第１の入力手段３５から入力操作することで、データ収集時間間隔設定・切替制御部６４にデータ収集時間間隔設定信号を入力して行うようにしても良い。
【０１２４】
さらに、データ収集時間間隔切替処理操作において、データ収集時間間隔を設定したチャンネルおよびデータ収集時間間隔を切り替える観測局２１Ａの選択は、監視局２２Ａを監視する監視員等が第２の入力手段５７から入力操作することによって収集時間間隔設定・切替要求部６６が行うようにしても良いし、コンピュータがプログラムを実行することにより監視制御手段５４Ａの収集時間間隔設定・切替要求部６６が自動的に行い得るようにしても良い。
【０１２５】
さらにまた、データ収集時間間隔切替処理操作は、監視局２２Ａの収集時間間隔設定・切替要求部６６が、選択した観測局２１Ａに対して収集時間間隔の変更要求を一斉に行うことでなされるとしたが、各観測局２１Ａにおいて設定者が第１の入力手段３５から入力操作することで、データ収集時間間隔設定・切替制御部６４にデータ収集時間間隔切替信号を入力して行うようにしても良い。
【０１２６】
［第３の実施形態］
以下に、本発明の第３の実施形態に係るＩＰ化受信テレメータシステムについて説明する。
【０１２７】
本発明の第３の実施形態に係るＩＰ化受信テレメータシステムの構成は、図１に示されるＩＰ化受信テレメータシステム２０において、観測局２１および監視局２２の代わりに観測局２１Ｂおよび監視局２２Ｂを具備する点で異なるが、その他の点は、本質的に異ならない。
【０１２８】
すなわち、本発明の第３の実施形態に係るＩＰ化受信テレメータシステムの一実施例であるＩＰ化受信テレメータシステム２０Ｂの構成概略は、図１において、ＩＰ化受信テレメータシステム２０をＩＰ化受信テレメータシステム２０Ｂに、観測局２１を観測局２１Ｂに、監視局２２を監視局２２Ｂに置換した構成である。従って、本実施形態に係るＩＰ化受信テレメータシステム２０Ｂの説明においては、第１の実施形態に係るＩＰ化受信テレメータシステム２０と異なる観測局２１Ｂおよび監視局２２Ｂを中心にして説明する。
【０１２９】
図６に本発明の第３の実施形態に係るＩＰ化受信テレメータシステムの一実施例であるＩＰ化受信テレメータシステム２０Ｂが具備する観測局２１Ｂの構成概略を表した構成概略図を示す。
【０１３０】
図６に示される観測局２１Ｂは、観測データ等のデータを取得するデータ取得手段と、データ収集手段としての観測装置２６Ｂとを備える。観測局２１Ｂが備える観測装置２６Ｂは、図２に示される観測装置２６に対して、制御手段３２に代わり、制御手段３２Ｂを備える点で異なるが、その他の点は本質的に異ならない。
【０１３１】
すなわち、観測装置２６Ｂは、観測局Ｉ／Ｆ手段３１と、観測装置２６Ｂの制御を行う制御手段３２Ｂと、第１の時刻認識手段３３と、記録手段３４と、第１の入力手段３５と、第１の表示手段３６とを備える。
【０１３２】
観測装置２６Ｂが備える制御手段３２Ｂは、制御手段３２が有する収集時刻認識部４３、データ収集制御部４５および時刻補正制御部４６に加えて、データ収集所要時間の設定要求があると、データ収集時にデータ収集所要時間を計測し、逆算時間設定ファイル５１を作成または更新する逆算時間設定制御部６８をさらに有する。
【０１３３】
制御手段３２Ｂが有する逆算時間設定制御部６８は、データ収集時にデータ収集所要時間を計測する。そして、データ収集所要時間の設定要求があると、読み出す逆算時間設定ファイル５１がない場合は、計測結果、すなわち、計測したデータ収集所要時間を記録し格納した逆算時間設定ファイル５１を作成する。
【０１３４】
また、読み出す逆算時間設定ファイル５１が存在する場合は、逆算時間設定ファイル５１に記録されたデータ収集所要時間を計測結果、すなわち、計測したデータ収集所要時間に更新する。データ収集所要時間の設定要求は、監視局２２Ｂの第２の入力手段５７から監視者等が入力して実行することによりなされる。
【０１３５】
図７に本発明の第３の実施形態に係るＩＰ化受信テレメータシステムの一実施例であるＩＰ化受信テレメータシステム２０Ｂが具備する監視局２２Ｂの構成概略を表した構成概略図を示す。
【０１３６】
図７に示される監視局２２Ｂは、親局設備Ｉ／Ｆ手段としての監視局Ｉ／Ｆ手段５３と、監視局２２Ａの監視制御処理操作を行う監視制御手段５４Ａと、第２の時刻認識手段５５と、データ記録手段５６と、第２の入力手段５７と、第２の表示手段５８とを備える。
【０１３７】
監視制御手段５４Ｂは、時刻補正要求部６１および収集時刻設定要求部６２に加えて、データ収集所要時間の設定要求を選択した観測局２１Ｂに対して行う逆算時間設定要求部６９をさらに備える。逆算時間設定要求部６９は、データ収集所要時間の設定要求としての逆算時間設定要求信号を出力し、データ収集所要時間の設定を行う。
【０１３８】
図６に示される観測局２１Ｂと、図７に示される監視局２２Ｂを具備するＩＰ化受信テレメータシステム２０Ｂは、ＩＰ化受信テレメータシステム２０に逆算時間設定制御部６８、逆算時間設定要求部６９を加えた形態なため、当然、ＩＰ化受信テレメータシステム２０と同様の効果を得ることができる。
【０１３９】
また、ＩＰ化受信テレメータシステム２０Ｂは、観測局２１Ｂの制御手段３２Ｂが逆算時間設定制御部６８を有し、逆算時間設定制御部６８が記録手段３４に格納される逆算時間設定ファイル５１を更新することおよび監視局２２Ｂの監視制御手段５４Ｂが逆算時間設定要求部６９をさらに備えることで、ＩＰ化受信テレメータシステム２０と同様の効果に加え、監視局２２Ｂからのデータ収集所要時間の設定要求に応じて、逆算時間設定制御部６８が逆算時間設定ファイル５１の作成または更新を実行するので、適切な逆算時間を考慮した逆算処理行程を実行することが可能となる。
【０１４０】
ここで、ＩＰ化受信テレメータシステム２０Ｂにおいて、逆算時間設定制御部６８が実行する逆算時間設定処理操作について説明する。
【０１４１】
逆算時間設定処理操作は、監視局２２Ｂの逆算時間設定要求部６９が、選択した観測局２１Ｂに対してデータ収集所要時間の設定要求を一斉に行うことでなされる。データ収集所要時間の設定要求は、初期設定時における逆算時間設定ファイル５１の作成要求および初期設定後の設定（逆算時間の更新等の設定）における逆算時間設定ファイル５１の更新要求の両者のうち一方を行うことでなされる。
【０１４２】
逆算時間設定ファイル５１の設定要求は、監視局２２Ｂを監視する監視員等が第２の入力手段５７から入力操作することで行う。逆算時間設定要求部６９は、データ収集所要時間の設定要求があると、選択された観測局２１Ｂに逆算時間設定要求信号を一斉に送信する。
【０１４３】
逆算時間設定要求信号を観測局２１Ｂが受信すると、観測局２１Ｂの逆算時間設定制御部６８は、試験的にデータ収集を行うべくデータ収集制御部４５にトリガを出力する。逆算時間設定制御部６８からのトリガがデータ収集制御部４５に入力されると、データ収集制御部４５は、データ収集開始要求信号を出力して、試験的にデータ収集を開始する。
【０１４４】
データ収集が開始されると同時に、逆算時間設定制御部６８は、データ収集所要時間を計測する。逆算時間設定制御部６８は、読み出す逆算時間設定ファイル５１がない場合は、計測したデータ収集所要時間に基づき、逆算時間設定ファイル５１を作成する。また、読み出す逆算時間設定ファイル５１が存在する場合は、計測したデータ収集所要時間に基づき、逆算時間設定ファイル５１のデータ収集所要時間を更新する。
【０１４５】
逆算時間設定ファイル５１の作成または更新が完了すると、ＩＰ化受信テレメータシステム２０Ｂは、作成または更新された逆算時間設定ファイル５１のデータ収集所要時間に基づき、制御手段３２Ｂが逆算処理行程を行い、データ収集を実行することが可能となる。
【０１４６】
このように構成されるＩＰ化受信テレメータシステム２０Ｂによれば、子局設備としての観測局２１Ｂが、親局設備としての監視局２２Ｂの逆算時間設定要求部６９からデータ収集所要時間の設定要求としての逆算時間設定要求信号を受信すると、制御手段３２Ｂの逆算時間設定制御部６８は、データ収集制御部４５に試験的なデータ収集をさせると同時にデータ収集所要時間を計測して、計測したデータ収集所要時間に基づき、逆算時間設定ファイル５１を作成または更新する。
【０１４７】
従って、ＩＰ化受信テレメータシステム２０Ｂは、例えば、雨量計２８の継続使用による性能劣化等により、データ収集所要時間が当初の設定時から変化しているような場合であっても、適切な逆算時間を考慮した逆算処理行程を実行することが可能となり、ＩＰ化受信テレメータシステム２０，２０Ａよりも、より長期間にわたってデータ収集時刻の同時性を維持することができる。
【０１４８】
尚、逆算時間設定処理操作および逆算時間設定処理操作を行う観測局２１Ｂの選択は、監視局２２Ｂを監視する監視員等が第２の入力手段５７から入力操作することによって逆算時間設定要求部６９が行うようにしても良いし、コンピュータがプログラムを実行することにより監視制御手段５４Ｂの逆算時間設定要求部６９が自動的に行い得るようにしても良い。
【０１４９】
また、逆算時間設定処理操作は、監視局２２Ｂの逆算時間設定要求部６９が行うとしたが、各観測局２１Ｂにおいて、設定者が第１の入力手段３５から入力操作することで、データ収集時間間隔設定・切替制御部６４に逆算時間設定要求信号を入力して行うようにしても良い。
【０１５０】
以上、ＩＰ化受信テレメータシステム２０，２０Ａ，２０Ｂによれば、各子局設備、すなわち、各観測局２１，２１Ａ，２１Ｂで収集される観測データの同時性を確保することが可能となり、各子局設備で収集されるデータの同時性を確保可能なテレメータシステムを提供することができる。
【０１５１】
また、各観測局２１，２１Ａ，２１Ｂ（各子局設備）が基準時刻を認識するので、監視局２２，２２Ａ，２２Ｂ（親局設備）から観測局２１，２１Ａ，２１Ｂ（子局設備）を個々に呼び出すポーリング方式、または、予め設定したイベント（例えば、水位計が１．５ｍになったら等）の発生により起動するイベント起動方式による観測に比べて各観測局２１，２１Ａ，２１Ｂ（各子局設備）がデータを収集する時刻の同時性をより高めることが可能となる。
【０１５２】
さらに、ＩＰ化受信テレメータシステム２０，２０Ａ，２０Ｂの運用開始以前の初期設定の段階で、逆算時間設定ファイル５１を作成し、制御手段３２が、逆算処理行程を行うことによって、逆算処理行程を実施しない場合に比べて、より高いデータ収集時刻の同時性が実現される。
【０１５３】
さらにまた、監視局２２，２２Ａ，２２Ｂ（親局設備）の監視制御手段５４，５４Ａ，５４Ｂが監視制御処理操作の実行を可能に構成したＩＰ化受信テレメータシステム２０，２０Ａ，２０Ｂは、各観測局２１，２１Ａ，２１Ｂ（各子局設備）において第１の時刻認識手段３３が認識している基準時刻を監視局２２，２２Ａ，２２Ｂ（親局設備）から一斉に時刻補正することが可能となる。
【０１５４】
一方、ＩＰ化受信テレメータシステム２０Ａによれば、子局設備としての観測局２１Ａが、親局設備としての監視局２２Ａの収集時間間隔設定・切替要求部６６からデータ収集時間間隔設定要求（データ収集時間間隔設定信号）を受信すると、制御手段３２Ａのデータ収集時間間隔設定・切替制御部６４は、収集時間間隔設定ファイル６５を作成または更新し、作成または更新した収集時間間隔設定ファイル６５を読み出すので、設定したデータ収集時間間隔でデータ収集を実施することが可能となる。
【０１５５】
また、子局設備としての観測局２１Ａが、親局設備としての監視局２２Ａの収集時間間隔設定・切替要求部６６からデータ収集時間間隔切替要求としてのデータ収集時間間隔切替信号を受信すると、制御手段３２Ａのデータ収集時間間隔設定・切替制御部６４は、収集時間間隔設定ファイル６５を読み出し、選択されているチャンネル、すなわち、データ収集時間間隔を更新するので、設定したデータ収集時間間隔を切り替えてデータ収集を実施することが可能となる。
【０１５６】
他方、ＩＰ化受信テレメータシステム２０Ｂによれば、子局設備としての観測局２１Ｂが、親局設備としての監視局２２Ｂの逆算時間設定要求部６９からデータ収集所要時間の設定要求としての逆算時間設定要求信号を受信すると、制御手段３２Ｂの逆算時間設定制御部６８は、データ収集制御部４５に試験的なデータ収集をさせると同時にデータ収集所要時間を計測して、計測したデータ収集所要時間に基づき、逆算時間設定ファイル５１を作成または更新する。
【０１５７】
従って、ＩＰ化受信テレメータシステム２０Ｂは、例えば、雨量計２８の継続使用による性能劣化等により、データ収集所要時間が当初の設定時から変化しているような場合であっても、適切な逆算時間を考慮した逆算処理行程を実行することが可能となり、ＩＰ化受信テレメータシステム２０，２０Ａよりも、より長期間にわたってデータ収集時刻の同時性を維持することができる。
【０１５８】
尚、図１に示されるＩＰ化受信テレメータシステム２０，２０Ａ，２０Ｂは、監視局２２，２２Ａ，２２Ｂの上位局として上位監視局（図１において点線で図示）と他の通信ネットワーク（図１に図示せず）を介して電気的に接続されていても構わない。
【０１５９】
また、ＩＰ化受信テレメータシステム２０，２０Ａ，２０Ｂは、監視局２２，２２Ａ，２２Ｂを１つ具備しているが、必ずしも１つでなくても良く、複数の監視局２２，２２Ａ，２２Ｂを具備しても良い。
【０１６０】
さらに、図２に示される観測局２１，２１Ａ，２１Ｂのデータ取得手段は、一例として、雨量計２８と、水位計２９とを備える形態を示したに過ぎない。従って、データ取得手段は、例えば、温度計、湿度計、気圧計等の他のデータ取得手段を備えても良いし、雨量計２８のみを備える等、単独の計測手段を備える形態でも良い。
【０１６１】
さらにまた、監視局２２，２２Ａ，２２Ｂが備える第２の時刻認識手段５５、データ記録手段５６、第２の入力手段５７および第２の表示手段５８と、観測局２１，２１Ａ，２１Ｂが備える第１の時刻認識手段３３、記録手段３４、第１の入力手段３５および第１の表示手段３６とは、機能的には同質のものである。従って、第１の時刻認識手段３３と第２の時刻認識手段５５、記録手段３４とデータ記録手段５６、第１の入力手段３５と第２の入力手段５７および第１の表示手段３６と第２の表示手段５８とを相互に入れ替えても差し支えない。
【０１６２】
【発明の効果】
本発明に係るＩＰ化受信テレメータシステムによれば、各子局設備、すなわち、各観測局が共通の基準時刻を認識し、認識している基準時刻に基づいてデータ収集を行うので、各観測局で収集される観測データの同時性を確保することが可能となる。すなわち、各子局設備で収集するデータの同時性を確保可能なテレメータシステムを提供することができる。
【０１６３】
また、各子局設備（各観測局）が基準時刻を認識するので、親局設備（監視局）から子局設備（観測局）を個々に呼び出すポーリング方式、または、予め設定したイベントの発生により起動するイベント起動方式による観測に比べてより各子局設備（各観測局）がデータを収集する時刻の同時性をより高めることが可能となる。
【０１６４】
さらに、ＩＰ化受信テレメータシステムは、親局設備（監視局）の監視制御手段が監視制御処理操作を実行可能に構成されるため、各子局設備（各観測局）において第１の時刻認識手段が認識している基準時刻を親局設備（監視局）から一斉に時刻補正したり、データ収集時間間隔設定をしたりすることが可能となる。
【図面の簡単な説明】
【図１】本発明に係るＩＰ化受信テレメータシステムの構成概略を表した構成概略図。
【図２】本発明の第１の実施形態に係るＩＰ化受信テレメータシステムにおける子局設備（観測局）の構成概略を表した構成概略図。
【図３】本発明の第１の実施形態に係るＩＰ化受信テレメータシステムにおける親局設備（監視局）の構成概略を表した構成概略図。
【図４】本発明の第２実施形態に係るＩＰ化受信テレメータシステムにおける子局設備（観測局）の構成概略を表した構成概略図。
【図５】本発明の第２の実施形態に係るＩＰ化受信テレメータシステムにおける親局設備（監視局）の構成概略を表した構成概略図。
【図６】本発明の第３実施形態に係るＩＰ化受信テレメータシステムにおける子局設備（観測局）の構成概略を表した構成概略図。
【図７】本発明の第３の実施形態に係るＩＰ化受信テレメータシステムにおける親局設備（監視局）の構成概略を表した構成概略図。
【図８】従来の遠方監視制御装置（テレメータ）の構成概略を表した構成概略図。
【符号の説明】
２０，２０Ａ，２０Ｂ  ＩＰ化受信テレメータシステム
２１，２１Ａ，２１Ｂ  観測局（子局設備）
２２，２２Ａ，２２Ｂ  監視局（親局設備）
２３  通信ネットワーク
２６  観測装置（データ収集手段）
２８  雨量計（データ取得手段）
２９  水位計（データ取得手段）
３１  観測局Ｉ／Ｆ手段（子局Ｉ／Ｆ手段）
３２，３２Ａ，３２Ｂ  制御手段
３３  第１の時刻認識手段
３４  記録手段
３５  第１の入力手段
３６  第１の表示手段
３９  通信Ｉ／Ｆ
４０  雨量計Ｉ／Ｆ
４１  水位計Ｉ／Ｆ
４３  収集時刻認識部
４５  データ収集制御部
４６  時刻補正制御部
４７  収集時刻設定制御部
４８  雨量計データファイル（観測データファイル）
４９  水位計データファイル（観測データファイル）
５０  収集時刻設定ファイル
５１  逆算時間設定ファイル
５３  監視局Ｉ／Ｆ手段（親局Ｉ／Ｆ手段）
５４，５４Ａ，５４Ｂ  監視制御手段
５５  第２の時刻認識手段
５６  データ記録手段
５７  第２の入力手段
５８  第２の表示手段
６０  データ受信制御部
６１  時刻補正要求部
６２  収集時刻設定要求部
６４  収集時間間隔設定・切替制御部
６５  収集時間間隔設定ファイル
６６  収集時間間隔設定・切替要求部
６８  逆算時間設定制御部
６９  逆算時間設定要求部
【図１】
2004318421.tif 000003
【図２】
2004318421.tif 000004
【図３】
2004318421.tif 000005
【図４】
2004318421.tif 000006
【図５】
2004318421.tif 000007
【図６】
2004318421.tif 000008
【図７】
2004318421.tif 000009
【図８】
2004318421.tif 000010